(57)【要約】【課題】  断熱壁自体で通気層を形成することができ、結露の発生を防止することができまた、断熱パネルをそのまま仕上材の下地とすることができ、従来の胴縁が不要となり、部品点数を減らして構造を簡素化することができると共に施工性を高める。【解決手段】  木造建物の外断熱用断熱壁Ｗであって、断熱パネル１の外面１ａに、ハニカム形状の通気溝２を設け、その外面１ａに、複数の下地バー５を間隔をあけて埋め込み、該下地バー５の外面５ａを断熱パネル１の外面５ａと略面一として仕上材１０の取付面とした。【選択図】    図１
2006169892.tif 000002
【特許請求の範囲】
【請求項１】
断熱パネル（１）の外面（１ａ）に、その外周縁に開口する複数の通気溝（２）を設け、該外面（１ａ）に、複数の下地バー（５）を間隔をあけて埋め込み、該下地バー（５）の外面（５ａ）を断熱パネル（１）の外面（１ａ）と略面一として仕上材（１０）の取付面としたことを特徴とする、建物の断熱壁構造。
【請求項２】
前記通気溝（２）はハニカム形状に形成されていて、前記断熱パネル（１）の外周縁の全周にわたり開口されていることを特徴とする、前記請求項１記載の建物の断熱壁構造。
【発明の詳細な説明】
【技術分野】
【０００１】
本発明は、建物の断熱壁構造、特に、木造建物の外断熱用断熱壁の構造に関するものである。
【背景技術】
【０００２】
従来、外壁の屋外側に断熱層を設けた、所謂外断熱構造の木造建物は公知である（後記非特許文献１参照）。
【非特許文献１】図書  新版  「木造住宅構法」  片岡  泰子・松留  慎一郎著  市ヶ谷出版社発行  第１３章  ２００３年１０月１５日  初版発行
【発明の開示】
【発明が解決しようとする課題】
【０００３】
ところで、かかる外断熱壁構造は、断熱パネルの外側に、防水シートを貼り、その外面に胴縁を設置して、その胴縁に仕上材を取付けるようにしている。
【０００４】
ところが、かかる従来の外断熱壁構造では、断熱パネルに、仕上材を取付けるための胴縁を別途に設ける必要があるので、外断熱壁構造の部品点数が多くなるばかりでなく施工性が悪く、コスト高を招き、さらに、防水性があっても通気性がないため結露を生じ易いという問題がある。
【０００５】
本発明は、かかる実情に鑑みてなされたものであり、前記問題を解決した、新規な建物の断熱壁構造を提供することを目的とするものである。
【課題を解決するための手段】
【０００６】
上記目的を達成するために、請求項１記載の発明は、断熱パネルの外面に、その外周縁に開口する複数の通気溝を設け、該外面に、複数の下地バーを間隔をあけて埋め込み、該下地バーの外面を断熱パネルの外面と略面一として仕上材の取付面としたことを特徴としている。
【０００７】
また、上記目的を達成するために、請求項２記載の発明は、前記請求項１記載のものにおいて、前記通気溝はハニカム形状に形成されていて、前記断熱パネルの外周縁の全周にわたり開口されていることを特徴としている。
【発明の効果】
【０００８】
本請求項１記載の発明によれば、断熱パネルの外面に、その外周縁に開口する複数の通気溝を設けたので、該断熱壁自体で通気層を形成することができ、結露の発生を防止することができ、また別途に通気通路を特設する必要がない。また、断熱壁の外面に複数の下地バーを間隔をあけて埋め込み、該下地バーの外面を断熱パネルの外面と略面一として仕上材の取付面としたので、断熱パネルをそのまま仕上材の下地とすることができ、従来の胴縁が不要となり、部品点数を減らして構造を簡素化することができると共に施工性を高め、大幅なコストダウンを達成することができる。さらに下地バーは、断熱パネルの剛性保持に役立つばかりでなく、断熱パネルそのものを、建物の構造体に緊結させるのが容易になる。
【０００９】
また、本請求項２記載の発明によれば、通気溝はハニカム形状に形成され、断熱パネルの外周縁の全周にわたり開口されているので、通気性に優れて結露の発生を効果的に防止し、また断熱パネルは、通気溝の形成による強度低下を抑えることができる。
【発明を実施するための最良の形態】
【００１０】
以下、本発明の実施の形態を、添付図面に例示した本発明の実施例に基づいて以下に具体的に説明する。
【００１１】
図１は、本発明断熱壁の斜視図、図２は、図１の２−２線に沿う断面図、図３は、図２の３矢視図、図４は、本発明断熱壁を使用した木造住宅の一部斜視図、図５は、図４の５−５線に沿う断面図である。
【００１２】
図１〜３に示すように、本発明にかかる断熱壁Ｗは、断熱パネル１と、この断熱パネル１に埋め込み固定される複数の下地バー５とよりなる。
【００１３】
断熱パネルは１は、硬質の断熱合成樹脂材により、長方形状に形成されており、高断熱性であり、しかも軽量であるポリスチレン、ポリウレタンなどの硬質の発泡合成樹脂材により構成される。断熱パネル１の外面１ａには、その全域にわたり通気溝２が形成されている、この通気溝２はハニカム形状に形成されて、その断面は凹条であって、断熱パネル１の外面１ａに開放され、かつ断熱パネル１の外周縁の全周にわたって開放されている。そして、この断熱パネル１の外面１ａは、通気溝２により囲まれる多数の四角な面よりなる。断熱パネル１の外面１ａには、断面凹条で、直状の複数の埋込溝４が間隔をおいて平行に形成されており、これらの埋込溝４に、下地バー５が埋め込まれて固定され、これらの下地バー５の外面５ａは、断熱パネル１の外面１ａと略面一をなして外部に露出され、仕上材１０の取付面とされている。前記下地バー５は、合成木、あるいはスチールなどの金属材により構成される。
【００１４】
図４，５に示すように、前述のように構成される断熱壁Ｗは、木造住宅の外断熱用外壁として、構造体Ｓの柱Ｐの外側面に釘など緊結具１２で緊結される。並列される複数の断熱壁１の外面１ａには、防水シート１１を張り、その外側に仕上材１０が取り付けられる。この仕上材１０の取り付けにあたっては、断熱壁１をそのまま乾式仕上げの下地として使用することができ、すなわち断熱パネル１に埋め込んだ下地バー５に、釘などの緊結具１３により仕上材１０が緊結される。
【００１５】
しかして、断熱壁１の外面１ａには通気溝２が形成されているので、断熱壁１の外面１ａの下地バー５に仕上材１０を取り付けることにより、それらの間に通気溝２による通気通路を形成することができる。
【００１６】
以上のように、この実施例の断熱壁Ｗによれば、断熱パネル１の外面１ａの下地バー４に仕上材１０を緊結することができ、それら間に通気溝２による通気通路を形成することができるので、断熱壁Ｗに結露を生じるのを抑制することができる。また、断熱パネル１は下地バー５が埋め込まれることにより、従来の胴縁を使用せずに、断熱壁Ｗに仕上材１０を緊結することができ、部品点数を削減すると共に施工性を高め、大幅なコストダウンを図ることができる。また、断熱パネル１は下地バー５により、それ自体の剛性が高められると共に断熱パネル１そのものを構造体Ｓに緊結させるのが容易になる。
【００１７】
さらに、通気溝２はハニカム形状に形成されるので、通気溝２による断熱パネル１の強度低下を低減することができ、また通気溝２は、断熱パネル１の外周縁の全周にわたり外部に開放されるので、その通気性がよい。
【００１８】
以上、本発明の実施例について説明したが、本発明はその実施例に限定されることなく、本発明の範囲内で種々の実施例が可能である。
【００１９】
たとえば、前記実施例では、通気溝をハニカム形状に形成しているが、これを他の形状に形成してもよい。
【図面の簡単な説明】
【００２０】
【図１】断熱壁の斜視図
【図２】図１の２−２線に沿う断面壁
【図３】図２の３矢視図
【図４】断熱壁を使用した木造住宅の一部斜視図
【図５】図４の５−５線に沿う断面図
【符号の説明】
【００２１】
１・・・・・・・・・・断熱パネル
１ａ・・・・・・・・・外面
２・・・・・・・・・・通気溝
５・・・・・・・・・・下地バー
５ａ・・・・・・・・・外面
１０・・・・・・・・・・仕上材
【図１】
2006169892.tif 000003
【図２】
2006169892.tif 000004
【図３】
2006169892.tif 000005
【図４】
2006169892.tif 000006
【図５】
2006169892.tif 000007